(57)【要約】【課題】インデックスファイルが記録される物理的な領域の断片化を極力防止することにより、高速な読み出し動作を実現する。【解決手段】各コンテンツファイルが記録媒体へ最初に記録される前に、インデックスファイルを連続して記録し得る物理的な領域に対応させてコンテンツファイルの記録状況を示すフラグを生成し、この生成したフラグが付加された属性情報を各コンテンツファイルの実データと連関させたインデックスファイルを生成し、生成したインデックスファイルを記録媒体へ記録する。【選択図】  図２
2004265507.tif 000002
【特許請求の範囲】
【請求項１】
記録媒体へ記録される各コンテンツファイルにつきそれぞれ割り当てられる属性情報を上記各コンテンツファイルの実データと連関させたインデックスファイルを生成し、生成した上記インデックスファイルを上記記録媒体へ記録する記録装置において、
上記記録媒体に記録されるコンテンツファイルの記録状況を示すフラグを生成し、これを上記属性情報に付加する情報付加手段を備え、
上記情報付加手段は、上記各コンテンツファイルが上記記録媒体へ最初に記録される前に、上記インデックスファイルを連続して記録し得る物理的な領域に応じて、上記フラグを生成すること
を特徴とする記録装置。
【請求項２】
上記情報付加手段は、上記各コンテンツファイルが上記記録媒体へ最初に記録される前に、上記インデックスファイルを連続して記録し得る全ての物理的な領域に応じて、上記フラグを生成すること
を特徴とする請求項１記載の記録装置。
【請求項３】
記録媒体へ記録される各コンテンツファイルにつきそれぞれ割り当てられる属性情報を上記各コンテンツファイルの実データと連関させたインデックスファイルを生成し、上記生成したインデックスファイルを上記記録媒体へ記録する記録装置において、
上記記録媒体に記録されるコンテンツファイルの記録状況を示すフラグを生成し、これを上記属性情報に付加する情報付加手段を備え、
上記情報付加手段は、
上記各コンテンツファイルが上記記録媒体へ最初に記録される前に、インデックスファイルを連続して記録し得る物理的な領域に応じて上記フラグを生成し、
また上記記録媒体に対する上記各コンテンツファイルの記録状況に応じて、インデックスファイルを連続して記録し得る空き領域を上記記録媒体から探索し、探索した空き領域に応じて上記フラグを生成すること
を特徴とする記録装置。
【請求項４】
上記情報付加手段は、探索した空き領域に応じて生成されたフラグが上記属性情報に付加されたインデックスファイルを、新たに記録媒体へ記録すること
を特徴とする請求項３記載の記録装置。
【請求項５】
記録媒体へ記録される各コンテンツファイルにつきそれぞれ割り当てられる属性情報を上記各コンテンツファイルの実データと連関させたインデックスファイルを生成し、生成した上記インデックスファイルを上記記録媒体へ記録する記録方法において、
上記各コンテンツファイルが上記記録媒体へ最初に記録される前に、上記インデックスファイルを連続して記録し得る物理的な領域に応じて、コンテンツファイルの記録状況を示すフラグを生成し、これを上記属性情報に付加すること
を特徴とする記録方法。
【請求項６】
上記各コンテンツファイルが上記記録媒体へ最初に記録される前に、上記インデックスファイルを連続して記録し得る全ての物理的な領域に応じて、上記フラグを生成すること
を特徴とする請求項５記載の記録方法。
【請求項７】
記録媒体へ記録される各コンテンツファイルにつきそれぞれ割り当てられる属性情報を上記各コンテンツファイルの実データと連関させたインデックスファイルを生成し、上記生成したインデックスファイルを上記記録媒体へ記録する記録方法において、
上記各コンテンツファイルが上記記録媒体へ最初に記録される前に、インデックスファイルを連続して記録し得る物理的な領域に応じてコンテンツファイルの記録状況を示すフラグを生成し、これを上記属性情報に付加し、
また上記記録媒体に対する上記各コンテンツファイルの記録状況に応じて、インデックスファイルを連続して記録し得る空き領域を上記記録媒体から探索し、探索した空き領域に応じて上記フラグを生成し、これを上記属性情報に付加すること
を特徴とする記録方法。
【請求項８】
探索した空き領域に応じて生成されたフラグが上記属性情報に付加されたインデックスファイルを、新たに記録媒体へ記録すること
を特徴とする請求項７記載の記録方法。
【発明の詳細な説明】
【０００１】
【発明の属する技術分野】
本発明は、各コンテンツファイルを記録媒体へ記録する記録装置及び方法に関し、特に、記録媒体へ記録される各コンテンツファイルにつきそれぞれ割り当てられる属性情報を各コンテンツファイルの実データと連関させてインデックスファイルを生成し、これを記録媒体へ記録する記録装置及び方法に関する。
【０００２】
【従来の技術】
パーソナルコンピュータやＰＤＡ（Ｐｅｒｓｏｎａｌ  Ｄｉｇｉｔａｌ  Ａｓｓｉｓｔａｎｔｓ）等の情報処理装置では、ノンリニアアクセス可能なハードディスクを始めとして、光ディスク、光磁気ディスク、メモリカード等の各種データ記録媒体が装着され、これにデータが記録される。また、このような記録装置に対して、例えば液晶表示パネル等の表示部やスピーカ等の音声発生部を付加することにより、記録したデータの再生、編集する機能を有する記録再生装置が提案されている。
【０００３】
この記録再生装置において、ユーザが所望のファイルを指定することにより、上述した再生や編集の対象となるデータを選択することができる。このファイルの指定は、ユーザインターフェースを介して入力されたファイルネームに基づき実現される場合もある。さらに、記録するファイルが多岐に亘る場合には、各ファイル毎に抜粋情報を出力させ、この抜粋情報に基づき所望のデータを容易に検索することができる記録装置及び記録方法が近年において提案されている（例えば、特許文献１参照。）。
【０００４】
この記録装置及び記録方法では、アプリケーションソフトウェアとしてＱｕｉｃｋＴｉｍｅを使用し、ディスク状記録媒体に記録されている複数のファイル内の画像データ及び／又は音声データの一部分をまとめて保持するインデックスファイルを上記抜粋情報として生成し、これをディスク状記録媒体の所定の位置に記録することにより、所望のファイル検索を実現している。このインデックスファイルは、例えばＱｕｉｃｋＴｉｍｅファイルの形式で作成することができる。
【０００５】
図１５は、ＱｕｉｃｋＴｉｍｅファイルを用いて作成されたインデックスファイルの一例を示している。このインデックスファイルは、ファイルを再生するために必要な時間や実データ参照のためのデータが格納されるムービーリソース部分と、ビデオ、オーディオ等の実データが格納されるムービーデータ部分により構成される。このムービーリソース部分は、プロパティトラック６２と、テキストトラック６３と、サムネイルピクチャトラック６４と、イントロミュージックトラック６５の４種類のデータに対応するトラックから構成される。またムービーデータ部分は、プロパティ、テキスト、サムネイルピクチャ、イントロミュージックの４種類の実データからなる。
【０００６】
プロパティトラック６２は、各コンテンツファイルに対応するプロパティデータに係るチャンクとして定義される。またテキストトラック６３は、検索対象とされる各コンテンツファイル毎にタイトル等のテキストデータを登録するために設けられている。この登録されるテキストデータは、ムービーデータ部分に実データとして格納され、各コンテンツファイル毎のタイトル等のデータ長及び開始時間がこのテキストトラック６３により示されることになる。
【０００７】
サムネイルピクチャトラック６４は、検索対象とされる各コンテンツファイル毎にサムネイル画像を一枚登録することができる。この登録されるサムネイル画像は、ムービーデータ部分に実データとして格納され、各コンテンツファイル毎のサムネイル画像のデータ長及び開始位置がこのサムネイルピクチャトラック６４によって示されることになる。イントロミュージックトラック６５は、検索対象とされる各コンテンツファイル毎にオーディオデータのイントロ部分を一枚登録することができる。この登録されるイントロミュージックは、ムービーデータ部分に実データとして格納され、各コンテンツファイル毎のイントロミュージックのデータ長及び開始位置がイントロミュージックトラック６５によって示されることになる。
【０００８】
【特許文献１】
特開２００１−８４７０５号公報
【０００９】
【発明が解決しようとする課題】
ところで、このようなインデックスファイルにおいて、プロパティ、テキスト、サムネイル並びにイントロミュージックの実データは、上述したムービーデータ部分のエントリと呼ばれる領域に順次格納される。
【００１０】
しかしながら、このインデックスファイルが記録される記録媒体において、このエントリ自体の追加や削除、また各エントリに記録されている実データの追加や削除等が繰り返される結果、インデックスファイルが記録される物理的な領域が断片化してしまう。このため、かかる断片化した領域に対して光ピックアップを順次移動させる必要性が生じ、シーク時間等が増大してしまう。また、このエントリ数が増えるにつれて、インデックスファイルの読出時間は著しく増大し、特にアクセス速度の低い記録媒体を装着する記録装置では、スムーズな読み出し動作の実現が困難になるという問題点もある。
【００１１】
そこで本発明は、上述した問題点に鑑みて案出されたものであり、その目的とするところは、インデックスファイルが記録される物理的な領域の断片化を極力防止することにより、高速な読み出し動作を実現し得る記録装置及び方法を提供することにある。
【００１２】
【課題を解決するための手段】
本発明を適用した記録装置は、上述の課題を解決するために、記録媒体へ記録される各コンテンツファイルにつきそれぞれ割り当てられる属性情報を上記各コンテンツファイルの実データと連関させたインデックスファイルを生成し、上記生成したインデックスファイルを上記記録媒体へ記録する記録装置において、上記記録媒体に記録されるコンテンツファイルの記録状況を示すフラグを生成し、これを上記属性情報に付加する情報付加手段を備え、上記情報付加手段は、上記各コンテンツファイルが上記記録媒体へ最初に記録される前に、上記インデックスファイルを連続して記録し得る物理的な領域に応じて、上記フラグを生成する。
【００１３】
この記録装置は、各コンテンツファイルが記録媒体へ最初に記録される前に、情報付加手段により、インデックスファイルを連続して記録し得る物理的な領域に応じてコンテンツファイルの記録状況を示すフラグを生成し、この生成したフラグが付加された属性情報を各コンテンツファイルの実データと連関させたインデックスファイルを生成し、生成したインデックスファイルを記録媒体へ記録する。
【００１４】
また、本発明を適用した記録装置は、記録媒体へ記録される各コンテンツファイルにつきそれぞれ割り当てられる属性情報を上記各コンテンツファイルの実データと連関させたインデックスファイルを生成し、上記生成したインデックスファイルを上記記録媒体へ記録する記録装置において、上記記録媒体に記録されるコンテンツファイルの記録状況を示すフラグを生成し、これを上記属性情報に付加する情報付加手段を備え、上記情報付加手段は、上記各コンテンツファイルが上記記録媒体へ最初に記録される前に、インデックスファイルを連続して記録し得る物理的な領域に応じて上記フラグを生成し、また上記記録媒体に対する上記各コンテンツファイルの記録状況に応じて、インデックスファイルを連続して記録し得る空き領域を上記記録媒体から探索し、探索した空き領域に応じて上記フラグを生成する。
【００１５】
この記録装置は、各コンテンツファイルが記録媒体へ最初に記録される前に、情報付加手段により、インデックスファイルを連続して記録し得る領域に応じてコンテンツファイルの記録状況を示すフラグを生成し、この生成したフラグが付加された属性情報を各コンテンツファイルの実データと連関させたインデックスファイルを生成し、生成したインデックスファイルを記録媒体へ記録する。そして、記録媒体に対する各コンテンツファイルの記録状況に応じて、インデックスファイルを連続して記録し得る空き領域を探索し、探索した空き領域に対応させてフラグを生成し、これを属性情報に付加する。
【００１６】
本発明を適用した記録方法は、上述の課題を解決するため、記録媒体へ記録される各コンテンツファイルにつきそれぞれ割り当てられる属性情報を上記各コンテンツファイルの実データと連関させたインデックスファイルを生成し、上記生成したインデックスファイルを上記記録媒体へ記録する記録方法において、上記各コンテンツファイルが上記記録媒体へ最初に記録される前に、上記インデックスファイルを連続して記録し得る物理的な領域に応じて、コンテンツファイルの記録状況を示すフラグを生成し、これを上記属性情報に付加する。
【００１７】
この記録方法は、各コンテンツファイルが記録媒体へ最初に記録される前に、インデックスファイルを連続して記録し得る物理的な領域に対応させてコンテンツファイルの記録状況を示すフラグを生成し、この生成したフラグが付加された属性情報を各コンテンツファイルの実データと連関させたインデックスファイルを生成し、生成したインデックスファイルを記録媒体へ記録する。
【００１８】
また本発明を適用した記録方法は、記録媒体へ記録される各コンテンツファイルにつきそれぞれ割り当てられる属性情報を上記各コンテンツファイルの実データと連関させたインデックスファイルを生成し、上記生成したインデックスファイルを上記記録媒体へ記録する記録方法において、上記各コンテンツファイルが上記記録媒体へ最初に記録される前に、インデックスファイルを連続して記録し得る物理的な領域に応じてコンテンツファイルの記録状況を示すフラグを生成し、これを上記属性情報に付加し、また上記記録媒体に対する上記各コンテンツファイルの記録状況に応じて、インデックスファイルを連続して記録し得る空き領域を上記記録媒体から探索し、探索した空き領域に応じて上記フラグを生成し、これを上記属性情報に付加する。
【００１９】
この記録方法は、各コンテンツファイルが記録媒体へ最初に記録される前に、インデックスファイルを連続して記録し得る物理的な領域に対応させてコンテンツファイルの記録状況を示すフラグを生成し、この生成したフラグが付加された属性情報を各コンテンツファイルの実データと連関させたインデックスファイルを生成し、生成したインデックスファイルを記録媒体へ記録する。そして、記録媒体に対する各コンテンツファイルの記録状況に応じて、インデックスファイルを連続して記録し得る物理的な空き領域を探索し、探索した空き領域に対応させてフラグを生成し、これを属性情報に付加する。
【００２０】
【発明の実施の形態】
以下、本発明の実施の形態について図面を参照しながら詳細に説明する。
【００２１】
本発明は、例えば図１に示すような記録装置１に適用される。この記録装置１は、例えばノンリニアアクセス可能なハードディスクを始めとして、光ディスク、磁気ディスク、光磁気ディスク、半導体メモリカード等に代表される記録媒体２にデータを記録するようにしたものであり、挿入された記録媒体２からデータを検出する光ピックアップ１１と、載置した記録媒体２を回転させるスピンドルモータ１２と、接続された光ピックアップ１１並びにスピンドルモータ１２を制御するサーボ回路１３と、システム制御部１５からの要求に応じてサーボ回路１３に信号を送信するドライブ制御部１４と、このシステム制御部１５に接続されてなる操作入力部１６とを備えている。
【００２２】
また記録装置１は、接続されたデータ入力端子を介して入力されたデータを圧縮符号化して所定のファイルを生成するファイル生成部１８と、供給されるファイルを復号化し、これを接続されたデータ出力端子へ出力するファイル復号部１９と、ファイル生成部１８、ファイル復号部１９、システム制御部１５に接続され、少なくともファイル生成部１８から出力されたファイルをメモリ２０へ書き込むメモリコントローラ２１と、メモリコントローラ２１から供給されたファイルを接続されたメモリ２２へ一時的に書き込み、これにエラー訂正を施すエラー訂正部２３と、接続されたエラー訂正部２３並びに光ピックアップ１１から供給されるデータを変復調するためのデータ変復調部２４とを備えている。
【００２３】
ファイル生成部１８には、図示しないＣＣＤ（Ｃｈａｒｇｅ  Ｃｏｕｐｌｅｄ  Ｄｅｖｉｃｅ  ）等の固体撮像素子により生成されたビデオ信号や、図示しないマイクロフォン等のオーディオ信号生成部により生成されるオーディオ信号が、データ入力端子を介して入力される。
【００２４】
ファイル生成部１８は、ビデオ信号が入力された場合に、例えばＭＰＥＧ（Ｍｏｖｉｎｇ  Ｐｉｃｔｕｒｅ  Ｅｘｐｅｒｔｓ  Ｇｒｏｕｐ）方式に基づき、これを圧縮符号化する。かかる場合においてファイル生成部１８は、先ず、入力されたビデオ信号をＡ／Ｄ変換することによりディジタル化し、フレームの順序を符号化処理に適した順に並び換える。ファイル生成部１８は、この並び換えた各フレームにつき、ＤＣＴ符号化、量子化、可変長符号化等の処理を施す。
【００２５】
ファイル生成部１８は、オーディオ信号が入力された場合に、例えばＭＰＥＧ方式に基づき、これを圧縮符号化する。かかる場合において、ファイル生成部１８は、入力されたオーディオ信号を、例えば３２帯域のサブバンド信号に分割し、所定の重み付けに従って量子化してビットストリームを形成する。
【００２６】
ファイル生成部１８は、各信号を時間軸に応じてコントロールできるソフトウェアにより取り扱うことができるように、符号化したビデオ信号並びにオーディオ信号の多重化を行い、さらにデータ構造を変換する。本発明では、このソフトウェアとして、Ｑｕｉｃｋｔｉｍｅを用いる。このＱｕｉｃｋｔｉｍｅは、動画、静止画、テキスト、オーディオ、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）等の音声データを取り扱うことができ、またこれらを同期させて再生するためのＯＳ拡張機能である。以下、このＱｕｉｃｋｔｉｍｅを用いて、種々のデータを格納することにより生成したファイルを、Ｑｕｉｃｋｔｉｍｅファイルと称する。ちなみに、このＱｕｉｃｋｔｉｍｅファイルの生成については、システム制御部１５による制御に従い、実行してもよい。ファイル生成部１８は、生成したＱｕｉｃｋｔｉｍｅファイルをメモリコントローラ２１へ出力する。
【００２７】
メモリコントローラ２１は、記録時において、ファイル生成部１８より入力されるＱｕｉｃｋｔｉｍｅファイルを順次メモリ２０へ書き込む。またメモリコントローラ２１は、システム制御部１５による制御に基づき、メモリ２０へ書き込んだＱｕｉｃｋｔｉｍｅファイルを読み出す。なお、Ｑｕｉｃｋｔｉｍｅファイルの転送レートは、各構成要素毎に異なるため、連続的にメモリ２０へ書き込まれたＱｕｉｃｋｔｉｍｅファイルの読み出しは、かかるメモリ２０がオーバーフロー或いはアンダーフローしないようにシステム制御部１５により常時監視されながら行われる。
【００２８】
またメモリコントローラ２１は、再生時において、エラー訂正部２３から入力されるＱｕｉｃｋｔｉｍｅファイルを順次メモリ２０へ書き込む。また、このメモリコントローラ２１は、システム制御部１５による制御の下、多重化されたファイルを分解する際の同期タイミングに合わせて、メモリ２０に書き込んだＱｕｉｃｋｔｉｍｅファイルを読み出し、これをファイル復号部１９へ出力する。
【００２９】
エラー訂正部２３は、記録時において、メモリコントローラ２１から供給されるＱｕｉｃｋｔｉｍｅファイルを、メモリ２２へ書き込む。また、このエラー訂正部２３は、メモリ２２へ書き込まれたＱｕｉｃｋｔｉｍｅファイルにつき、インターリーブ及びエラー訂正符号化等の処理を施して、これを読み出し、データ変復調部２４へ転送する。
【００３０】
またエラー訂正部２３は、再生時において、データ変復調部２４により復調されたデータが供給される。エラー訂正部２３は、この供給されたデータをメモリ２２へ書き込み、デインターリーブ処理及びエラー訂正処理を施す。ちなみにこのエラー訂正後のＱｕｉｃｋｔｉｍｅファイルが、上述の如くメモリコントローラ２１を介してメモリ２０へ書き込まれることになる。
【００３１】
データ変復調部２４は、エラー訂正部２３から転送されるデータにつき、所定の変調を施し、これを光ピックアップ１１へ送信する。また、このデータ変復調部２４は、光ピックアップ１１から送信されるデータにつき、所定の復調を施し、これをエラー訂正部２３へ転送する。
【００３２】
光ピックアップ１１は、内蔵されている半導体レーザからレーザビームを出射し、対物レンズを介してこのレーザビームを記録媒体２の情報記録面に集光する。すなわち、この光ピックアップ１１は、データ変復調部２４から入力されるデータに基づきレーザビームを生成するため、記録媒体２に当該データが順次記録されていくことになる。また、光ピックアップ１１は、このレーザビームの照射により記録媒体２から得られる戻り光をこの対物レンズを介して所定の受光素子に導き、この受光素子の受光結果をデータ変復調器２３に出力する。この光ピックアップ１１は、サーボ回路１３から供給されるフォーカス駆動信号及びトラッキング起動信号に基づき、図示しない２軸コイルを用いて、上記光ピックアップ１１における対物レンズを光軸方向及び当該光軸方向と直交する方向へ移動させる。
【００３３】
なお、記録媒体２に対しては、図示しない磁界変調ドライバを用いてデータ変復調部２４からの制御に基づき磁界を印加するようにしてもよい。
【００３４】
スピンドルモータ１２は、サーボ回路１３による制御に基づき、記録媒体２を、例えば線速度一定（ＣＬＶ）、角速度一定（ＣＡＶ）又はＺＣＡＶ（ゾーンＣＡＶ）で回転させる。
【００３５】
サーボ回路１３は、ドライブ制御部１４による制御に基づき、光ピックアップ１１に対してフォーカス駆動信号及びトラッキング駆動信号を送信する。また、このサーボ回路１３は、ドライブ制御部１４による制御に基づき、記録媒体２の回転速度を制御するための信号をスピンドルモータ１２へ送信する。
【００３６】
ドライブ制御部１４は、システム制御部１５から送信される制御信号に基づき、サーボ回路１３を制御する。これにより、サーボ回路１３の動作が自在に制御されることにより、記録媒体２への記録動作、或いは再生動作が実現されることになる。
【００３７】
システム制御部１５は、接続されたドライブ制御部１４やメモリコントローラ２１を介して各構成要素を制御する。このシステム制御部１５は、操作入力部１６を介したユーザからの指示に基づき、各構成要素を制御するようにしてもよい。
【００３８】
ファイル復号部１９は、システム制御部１５による制御の下、Ｑｕｉｃｋｔｉｍｅファイルをビデオ信号、オーディオ信号に分解する。このファイル復号部１９は、この分解したビデオ信号、オーディオ信号につき、それぞれ復号化処理を施し、これをデータ出力端子を介して外部へ出力する。例えば上記ファイル生成部１８において、ＭＰＥＧ方式により圧縮符号化されている場合おいて、このファイル復号部１９は、このビデオ信号、オーディオ信号につき、可変長符号復号化、逆ＤＣＴ変換、逆量子化等の処理を施すことになる。
【００３９】
なお、この記録装置１のブロック構成は上述した実施の形態に限定されるものではなく、例えば、再生処理を実行するためのファイル復号部１９等の構成要素を省略してもよい。
【００４０】
このような記録装置１により記録媒体２へデータを記録する場合において、データ入力端子を介して入力されたビデオ信号やオーディオ信号は、ファイル生成部１８において、Ａ／Ｄ変換され、画像並べ換え、ＤＣＴ変換、量子化、可変長符号化等の処理が施され、Ｑｕｉｃｋｔｉｍｅファイル等に置き換えられる。このＱｕｉｃｋｔｉｍｅファイルは、メモリコントローラ２１により、順次メモリ２２へ書き込まれ、システム制御部１５よるタイミング制御の下、メモリコントローラ２１により読み出され、エラー訂正部２３へ出力される。Ｑｕｉｃｋｔｉｍｅファイルは、このエラー訂正部２３により、例えばエラー訂正符号の冗長データが付加され、データ変復調部２４へ出力される。データ変復調部２４に出力されたデータは、符号間干渉を抑えるべく、変調が施されて光ピックアップ１１へ送信され、さらには記録媒体２へ順次記録されることになる。
【００４１】
また、このような記録装置１により記録媒体２へ記録されたデータを再生する場合には、光ピックアップ１１から記録媒体２へ照射された光の反射光を電気信号に変換することにより抽出されたデータが、先ずデータ変復調部２４に送信される。このデータは、データ変復調部２４において復調され、またエラー訂正部において、デインターリーブ処理及びエラー訂正処理が施され、さらにメモリコントローラ２１によるタイミング調整を経て、ファイル復号部１９へ出力される。Ｑｕｉｃｋｔｉｍｅファイルは、このファイル復号部１９において、ビデオ信号、オーディオ信号に分解され、可変長符号復号化、逆ＤＣＴ変換、逆量子化等の処理が施された上で、データ出力部を介して他の再生部へ送信され、順次再生されることになる。
【００４２】
次にＱｕｉｃｋｔｉｍｅファイルを用いて作成されるインデックスファイルにつき、説明をする。Ｑｕｉｃｋｔｉｍｅの詳細は、例えば”ＩＮＳＩＤＥ  ＭＡＣＩＮＴＯＳＨ  ：Ｑｕｉｃｋｔｉｍｅ（日本語版）（アジソンウエスレス）”等において示されている。
【００４３】
また、このＱｕｉｃｋｔｉｍｅファイルにより後述するインデックスファイルが作成される。このインデックスファイルでは、プロパティ、サムネイル画像、テキスト、サウンドの４種類のデータを取り扱う。プロパティは、記録媒体に記録される画像データ、オーディオデータを扱うファイル（以下、コンテンツファイルという）の属性を示すデータであり、サムネイル画像は、コンテンツファイルの例えば最初の画像等のような代表的な１枚分の画像データである。また、テキストは、コンテンツファイルの文字列を示すデータであり、サウンドは、各コンテンツファイルの短時間のオーディオデータである。このサウンドは、ユーザが任意に設定することができるが、例えば当該コンテンツファイルにおける最初の５秒のイントロ部分につき、かかるオーティオデータとするようにしてもよい。
【００４４】
図２は、ビデオ信号とオーディオ信号とを扱うＱｕｉｃｋｔｉｍｅファイルにより作成されるインデックスファイルの一の例を示している。このインデックスファイルは、ムービーリソース部１００と、ムービーデータ部２００から構成される。ムービーリソース部１００には、そのファイルを再生するために必要な時間や実データを参照するための情報が格納される。またムービーデータ部２００には、記録媒体に記録される画像データ、オーディオデータ等の各実データが格納される。
【００４５】
ムービーリソース部１００は、上述した４種類のデータに応じて、プロパティトラック１０１と、サムネイル画像トラック１０２と、テキストトラック１０３と、サウンドトラック１０４が設けられてなる。また、ムービーデータ部２００には、上述した実データを格納するために、プロパティエントリ２０１と、サムネイル画像エントリ２０２と、テキストエントリ２０３と、サウンドエントリ２０４が設けられてなる。実データは、このムービーデータ部２００の各種エントリ２０１〜２０４におけるエントリ＃０〜エントリ＃ｎにそれぞれ格納される。ちなみに、このエントリ＃ｎは、エントリ番号を指し、インデックスファイル独自の番号である（ｎは、２以上の整数）。このエントリ番号により、プロパティの実データが格納されるエントリを識別することができる。
【００４６】
図３は、Ｑｕｉｃｋｔｉｍｅファイルにより作成されるインデックスファイルの他の例を示している。このインデックスファイルは、上述した実データを格納するためにプロパティエントリ２１１と、サムネイル画像エントリ２１２と、テキストエントリ２１３とが設けられてなる。実データは、この各種エントリ２１１〜２１３におけるエントリ番号に対応させてそれぞれ格納される。また、プロパティエントリ２１１には、上述したムービーリソース部１００に相当する領域として、先頭部分にプロパティエントリヘッダ３０１が設けられ、またサムネイル画像エントリ２１２には、サムネイル画像エントリ３０２が設けられ、さらにテキストエントリ２１３の先頭部分には、テキストエントリヘッダ３０３が設けられて構成される。
【００４７】
図４は、プロパティトラック１０１の例を示す図である。この図４に示すように各コンテンツファイルのチャンクとして示された各コンテンツファイルの実データが記録されるエントリ＃０〜＃ｎに対して、それぞれ開始バイト位置、並びにデータ長等が記述される。サムネイル画像、テキスト、サウンドにおけるトラック部分１０２〜１０４と実データとの関係もこの図４の例と同様に記述される。
【００４８】
図５は、プロパティデータの例を示す図である。この図５に示すように、コンテンツファイルの”バージョン情報”が開始バイトから２バイトにかけて記述され、また”フラグ”が２バイト目から記述される。また、動画、静止画、オーディオ等をそれぞれ識別するための”データタイプ”が４バイト目から記述され、コンテンツファイルの作成日時に基づく”制作日時”が５バイト目から記述され、当該コンテンツファイルが修正された日時に基づく”編集日時”が９バイト目から記述され、さらに再生に必要な時間に基づく”デュレーション”が１３バイト目から記述される。
【００４９】
このプロパティデータとして、例えばエントリ番号が２６バイト目から記述され、またエントリの属性を識別するためのエントリプロパティが３０バイト目から記述され、さらにエントリが属するフォルダを識別するためのフォルダプロパティが３１バイト目から記述される。このような各エントリの情報に基づき、複数のエントリ間の階層構造を規定することもできる。
【００５０】
図６は、各エントリ番号（エントリ＃０〜エントリ＃７）におけるプロパティ情報の例である。
【００５１】
エントリプロパティ１は、各エントリ＃ｎにつき、フォルダであるか、或いはファイルであるかを識別するために記述される。この図６に示す例では、エントリ＃０、＃３、＃４がフォルダであり、エントリ＃１、＃５、＃６、＃７がファイルである。エントリプロパティ２は、各エントリ＃ｎにつき、ノーマル情報であるか、或いはシステム情報であるか否かを識別するために記述される。この図６に示す例では、エントリ＃２がシステム情報であることが示されている。
【００５２】
また、エントリプロパティ３は、各エントリ＃ｎにつき、記録されているコンテンツファイルが有効であるか、或いは無効であるかを識別するために記述される。例えばコンテンツファイルが消去されている場合には、対応するエントリにおけるエントリプロパティ３の値として”１”が示される。すなわち、このエントリプロパティ３は、コンテンツファイルの記録状況を示すことができる。ちなみに、この図６に示す例では、エントリ＃６に対していわゆる無効フラグを設定することにより、登録されていたコンテンツファイルＣが消去されたことを示唆している。
【００５３】
エントリプロパティ４は、各エントリ＃ｎにつき、登録されたコンテンツファイル等が他のコンテンツファイル等を参照しているか否かを識別するために示される。この図６に示す例では、エントリ＃５、＃６につき、参照するファイルが存在することを示唆している。
【００５４】
フォルダプロパティは、各エントリ＃ｎにつき、より上位に位置するフォルダの番号を示している。この図６に示す例では、エントリ＃１と＃３の上位がエントリ＃０のフォルダであり、またエントリ＃４、＃５の上位がエントリ＃３のフォルダであり、またエントリ＃６、＃７の上位がエントリ＃４のフォルダであることを意味している。
【００５５】
リファードカウンタは、各エントリ＃ｎにつき、別のファイルにより参照されている数を示している。またリファリングファイルリストは、別のファイルにより参照されている場合に、その参照元を示している。
【００５６】
この図６において、コンテンツファイルＡがエントリ＃１に登録され、またコンテンツファイルＢがエントリ＃５に登録され、またコンテンツファイルＤがエントリ＃７に登録されているとき、コンテンツファイルＢがコンテンツファイルＡを参照しているため、エントリ＃５におけるエントリプロパティ４が”１”となり、エントリ＃１においてリファードカウンタが”１”となり、またリファリングファイルリストが”５”となる。
【００５７】
なお、上述したエントリプロパティ３において、消去すべきコンテンツファイルに応じたエントリ自体をそのまま削除することも可能だが、各トラック部１０１〜１０４も書き換える必要があるため、相対的に不利となる。一方、本発明では、無効フラグを設定したエントリに対して、新たにコンテンツファイルを登録する場合には、かかるエントリにそのまま上書きすると共に、このエントリプロパティ３に設けられている無効フラグを有効フラグに設定し直すことにより、これを実現することができる。すなわち、図６に示す例において、無効フラグが設定されたエントリ＃６に対して新たにコンテンツファイルを登録する場合には、係るエントリ＃６にそのまま上書きすればよく、各トラック部１０１〜１０４を書き換える必要性もなくなり、記録装置１全体の負担を軽減させることができる。また、各エントリ＃ｎのサイズを固定長とすることにより、ムービーリソース部１００に収容すべきデータのサイズを固定することができる。これにより、ムービーリソース部１００全体のデータサイズを大幅に削減することも可能となる。
【００５８】
次に、本発明を適用した記録装置１における上記インデックスファイルの初期化の手順につき図７を用いて説明をする。
【００５９】
先ずステップＳ１１において、システム制御部１５は、操作入力部１６を介して入力されたインデックスファイルの初期化コマンドを受けたとき、ステップＳ１２へ移行し、記録媒体２へアクセスして、インデックスファイルの存在を確認する。その結果、当該記録媒体２にインデックスファイルが存在しない場合にはステップＳ１３へ移行する。一方、当該記録媒体２にインデックスファイルが存在していた場合には、既にインデックスファイルが初期化されて使用可能状態になっていることを示唆しており、ステップＳ１５へ移行してこの初期化処理の終了動作へ移行することになる。
【００６０】
ステップＳ１３において、システム制御部１５は、図８に示すように、記録媒体２に設けられた各種エントリ２０１〜２０４のエントリ領域のうち、先ずプロパティエントリ２０１に対して、上述の如く無効フラグを設定する。このとき、システム制御部１５は、例えばインデックスファイルを連続して記録し得る物理的な領域に応じて、各エントリ番号に無効フラグを設定するようにしてもよい。このとき、システム制御部１５は、インデックスファイルを記録するための物理的な領域に対して、無効フラグを設定することができるエントリ数を識別し、識別したエントリ数に応じて、実際に無効フラグを設定するエントリ番号を決定してもよい。
【００６１】
またシステム制御部１５は、例えばインデックスファイルを連続して記録し得る全ての物理的な領域に応じて、各エントリ番号に無効フラグを設定してもよく、また記録装置１が扱うことができる最大のエントリ数分のエントリに対してこの無効フラグを設定するようにしてもよい。
【００６２】
次にステップＳ１４へ移行し、システム制御部１５は、図８に示すように、記録媒体２上におけるサムネイル画像エントリ２０２、テキストエントリ２０３、サウンドエントリ２０４の各領域において、上述した無効フラグを設定したエントリ番号につき無効データを書き込む。この無効データの書き込まれたエントリについては、新たなコンテンツファイルの登録が可能となる。
【００６３】
このような初期化処理を、コンテンツファイルを記録媒体２へ最初に記録する前に実行することにより、以下の効果を得ることができる。すなわち、本発明を適用した記録装置１では、例えばインデックスファイルを連続して記録し得る物理的な領域に対して、各エントリ毎に無効フラグを付加したエントリ領域を連続的に設ける。これにより、図８に示すように各エントリ領域を含むインデックスファイルを記録媒体２において断片化することなく記録することができ、光ピックアップ１１の移動量を少なくすることができる。このため、インデックスファイルの読み出しを高速に行うことが可能となる。また、このエントリ数が増加する場合であっても、インデックスファイルの読出時間を抑えることができ、さらに、アクセス速度の低い記録媒体を装着する記録装置であっても、スムーズな読み出し動作の実現が可能となる。
【００６４】
また、無効フラグを設定するエントリ番号の連続性を高くすることにより、記録媒体２においてインデックスファイルが記録される物理的な領域の連続性を更に高めることができ、当該インデックスファイルの読出時間をさらに抑えることが可能となる。特に、インデックスファイルを連続して記録し得る全ての物理的な領域に対応するエントリにつき無効フラグを設定することにより、又は記録装置１が扱うことができる最大のエントリ数分につき、全て無効フラグを設定することにより、かかるインデックスファイルの読出時間を極力短縮させることができる。
【００６５】
次に、初期化された記録媒体２に対してコンテンツファイルを記録する手順につき図９を用いて説明をする。
【００６６】
先ずステップＳ２１において、システム制御部１５は、例えば操作入力部１６を介して入力されたコンテンツファイルの記録コマンドを受けたとき、ステップＳ２２へ移行し、記録媒体２へアクセスして、コンテンツファイルを記録する空き領域の存在を確認する。その結果、当該記録媒体２にコンテンツファイルを記録するための空き領域が存在しない場合にはステップＳ２３へ移行する。一方、当該記録媒体２にコンテンツファイルを記録するための空き領域が存在する場合には、ステップＳ２６へ移行し、その空き領域にコンテンツファイルを記録すると共に、インデックスファイルに当該コンテンツファイルを登録することになる。
【００６７】
ステップＳ２３において、システム制御部１５は、記録媒体２に記録されているインデックスファイルのプロパティエントリ２０１につき、無効フラグの設定されているエントリの有無を識別する。その結果、無効フラグの設定されたエントリが存在する場合には、ステップＳ２５へ移行し、それ以外の場合にはステップＳ２４へ移行する。
【００６８】
ステップＳ２４へ移行した場合は、記録媒体２における各エントリが、対応するコンテンツファイルで既に満たされていることを示唆しており、新たなコンテンツファイルの記録が不可能であるため、その旨をユーザに認識させた上でこの処理を終了させる。
【００６９】
一方、ステップＳ２５へ移行した場合に、システム制御部１５は、インデックスファイルにおける無効フラグが設けられているエントリにつき、コンテンツファイルを記録するための空き領域として開放する。図１０（ａ）は、記録媒体２につき、インデックスファイルが記録されている物理的な領域を開放する場合について示している。ここで、各種エントリ２０１〜２０４につき、無効フラグ又は無効データが付加されているエントリ番号から構成されるエントリ領域を無効領域といい、また各種エントリ２０１〜２０４につき、有効フラグ又は有効データが付加されているエントリ番号から構成されるエントリ領域を有効領域という。この図１０（ａ）に示すように、システム制御部１５は、インデックスファイルが記録されている領域の開放を、プロパティエントリ２０１のみならず、サムネイル画像エントリ２０２、テキストエントリ２０３、サウンドエントリ２０４が記録されている各領域につき実行する。これにより、記録媒体２において、新たにコンテンツファイルを記録するための領域、また当該コンテンツファイルを登録するインデックスファイルのための領域を確保することができる。
【００７０】
図１０（ｂ）は、プロパティエントリ２０１から物理的な領域を開放する場合について説明するための図である。プロパティエントリ２０１では、最初に各エントリ５００につき無効フラグが設定され、またコンテンツファイルが登録されたエントリには、順次有効フラグが設定される。ステップＳ２５へ移行し、プロパティエントリ２０１につき物理的な領域の一部が開放される結果、コンテンツファイルが登録されているために有効領域として残るエントリ領域５０１に加えて、今後必要となるエントリのために無効フラグが設けられたエントリ領域５０２と、新たなコンテンツファイルを記録するために確保された空き領域５０３が生成されることになる。
【００７１】
このステップＳ２５における処理を終了後、再びステップＳ２２へ移行することになるが、記録媒体２には既にコンテンツファイルを記録するための空き領域が存在しているため、そのままステップＳ２３へ移行する。
【００７２】
次に、記録媒体２に対して新たに記録されたコンテンツファイルをインデックスファイルに登録する手順について図１１を用いて説明をする。
【００７３】
先ず、ステップＳ３１において、システム制御部１５は、記録媒体２に対して新たにコンテンツファイルが記録されることを識別したとき、ステップＳ３２へ移行し、インデックスファイル上に無効フラグの設定されたエントリの存在を確認する。その結果、インデックスファイル上に無効フラグの設定されているエントリが存在しない場合には、ステップＳ３３へ移行する。一方、インデックスファイル上に無効フラグの設定されているエントリが存在する場合には、ステップＳ３４へ移行する。
【００７４】
ステップＳ３３において、記録媒体２における各エントリが、コンテンツファイルで既に満たされていることを示唆しており、新たなコンテンツファイルの登録が不可能であるため、その旨をユーザに認識させた上でこの処理を終了させる。
【００７５】
ステップＳ３４において、システム制御部１５は、無効フラグが設定されているエントリを、インデックスファイルから抽出する。またシステム制御部１５は、かかる抽出したエントリにつき、新たにコンテンツファイルを登録し、エントリプロパティ３における無効フラグを有効フラグに再設定する。
【００７６】
最後にステップＳ３５へ移行し、システム制御部１５は、状況に応じて記録媒体２上のインデックスファイルを順次更新する。
【００７７】
なお、本発明を適用した記録装置１は、インデックスファイルにおけるエントリ領域が既に満たされている場合において、図１２に示すように記録媒体２から物理的に連続する空き領域を探索し、これをインデックスファイルにおける無効領域として追加することができる。
【００７８】
この図１２に示す記録媒体２は、既に記録されているコンテンツファイルに対応して、インデックスファイル上の各種エントリ２０１〜２０４に有効領域が設けられている。この記録媒体２に対して新たなコンテンツファイルを記録するためには、当該コンテンツファイルを登録するためのインデックスファイルも必要となるため、システム制御部１５は、記録媒体２において物理的に連続する空き領域を探索する。その結果、システム制御部１５は、例えば図１２に示すように、既に記録媒体２に記録されているコンテンツファイルの後方においてかかる空き領域を探索し、そこにインデックスファイルを設けるとともに、無効領域を追加する。
【００７９】
図１３は、このインデックスファイルにおける無効領域を追加する手順を示している。
【００８０】
先ずステップＳ４１において、システム制御部１５は、記録媒体２上において、無効領域が残存しているインデックスファイルの有無を確認する。その結果、係る無効領域を有するインデックスファイルが存在している場合には、ステップＳ４４へ移行し、それ以外の場合にはステップＳ４２へ移行する。
【００８１】
ステップＳ４２において、システム制御部１５は、記録媒体２において物理的に連続する空き領域を探索する。そして、プロパティエントリ２０１につき、無効フラグを設定したインデックスファイルをその探索した空き領域に対して書き込む。
【００８２】
次にステップＳ４３へ移行し、システム制御部１５は、サムネイル画像エントリ２０２、テキストエントリ２０３、サウンドエントリ２０４につき、上述した無効フラグを設定したエントリ番号に応じて無効データを書き込む。このステップＳ４３までの処理を実行することにより、図１２に示すように無効領域を新たに追加することができる。
【００８３】
ステップＳ４４では、このインデックスファイルの作成処理の終了動作が実行されることになる。
【００８４】
すなわち、本発明を適用した記録装置１では、無効領域が残存しているインデックスファイルが存在しない場合であっても、新たに無効領域を追加することができるため、新たに記録されたコンテンツファイルを当該無効領域に記録することができる。またこの追加する無効領域を有するインデックスファイルは、記録媒体２において物理的に連続した領域に記録されるため、コンテンツファイルが記録される領域が部分的に存在する場合であっても、かかるインデックスファイルの断片化を防止することができる。これにより、光ピックアップ１１の移動量を少なくすることができるため、かかるインデックスファイルの読み出しを高速に行うことが可能となる。
【００８５】
次に、新たに記録されるコンテンツファイルを、図１３に示す手順により追加された無効領域のエントリに登録する手順につき、図１４を用いて説明をする。
【００８６】
先ず、ステップＳ５１において、システム制御部１５は、記録媒体２に対して新たにコンテンツファイルの記録されたことを識別したとき、ステップＳ５２へ移行し、インデックスファイル上に無効フラグの設定されてエントリの存在を確認する。その結果、インデックスファイル上に無効フラグの設定されているエントリが存在しない場合には、ステップＳ５３へ移行する。一方、インデックスファイル上に無効フラグの設定されているエントリが存在する場合には、ステップＳ５６へ移行する。
【００８７】
ステップＳ５３において、システム制御部１５は、記録媒体２において空き領域の存在を確認する。その結果、空き領域の存在を確認できなかった場合には、ステップＳ５４へ移行し、また空き領域の存在を確認した場合には、ステップＳ５５へ移行する。
【００８８】
ステップＳ５４に移行した場合には、記録媒体２が既にコンテンツファイル等で満たされているため、ユーザに対してその旨を認識させた上でこの処理を終了させる。
【００８９】
ステップＳ５５に移行した場合には、ステップＳ５３において確認した空き領域から物理的に連続する領域を探索して無効領域を追加する。このステップＳ５５における処理を終了後、再びステップＳ５２へ移行することになるが、記録媒体２には既にインデックスファイル上に無効フラグの設定されてエントリが存在しているため、そのままステップＳ５６へ移行する。
【００９０】
ステップＳ５６において、システム制御部１５は、無効フラグの設定されたエントリを、インデックスファイルから抽出する。またシステム制御部１５は、かかる抽出したエントリにつき、新たにコンテンツファイルを登録し、無効フラグを有効フラグに再設定する。
【００９１】
最後に、ステップＳ３５へ移行し、システム制御部１５は、状況に応じて記録媒体２上のインデックスファイルを順次更新する。
【００９２】
なお、本発明を適用した記録装置１は上述した実施の形態に限定されるものではない。ソフトウェアとしてＱｕｉｃｋｔｉｍｅを用いる場合のみならず、他のＯＳ拡張機能を有するソフトウェアを用いるようにしてもよいことは勿論である。
【００９３】
また、無効フラグが設けられたエントリを抽出する際に、無効エントリのいわゆるリンクト・リストを予め形成しておくことにより、これを高速に実現するようにしてもよい。
【００９４】
また、記録媒体２により取り扱われるコンテンツファイルのエントリの総数が多い場合には、かかる総数を１０で除した数のエントリにつき、インデックスファイルを形成するようにしてもよいことは勿論である。
【００９５】
【発明の効果】
以上詳細に説明したように、本発明を適用した記録装置及び方法は、各コンテンツファイルが記録媒体へ最初に記録される前に、インデックスファイルを連続して記録し得る物理的な領域に対応させてコンテンツファイルの記録状況を示すフラグを生成し、この生成したフラグが付加された属性情報を各コンテンツファイルの実データと連関させたインデックスファイルを生成し、生成したインデックスファイルを記録媒体へ記録する。
【００９６】
これにより、本発明を適用した記録装置及び方法は、記録媒体におけるインデックスファイルの物理的な配置が断片化することを防止することができ、かかるインデックスファルの読み出しを高速に行うことが可能となる。
【００９７】
以上詳細に説明したように、本発明を適用した記録装置及び方法は、各コンテンツファイルが記録媒体へ最初に記録される前に、インデックスファイルを連続して記録し得る物理的な領域に対応させてコンテンツファイルの記録状況を示すフラグを生成し、この生成したフラグが付加された属性情報を各コンテンツファイルの実データと連関させたインデックスファイルを生成し、生成したインデックスファイルを記録媒体へ記録する。そして、記録媒体に対する各コンテンツファイルの記録状況に応じて、インデックスファイルを連続して記録し得る物理的な空き領域を探索し、探索した空き領域に対応させてフラグを生成し、これを属性情報に付加する。
【００９８】
これにより、本発明を適用した記録装置及び方法は、記録媒体に対する各コンテンツファイルの記録状況に応じて、新たにインデックスファイルを設ける場合であっても、記録媒体におけるインデックスファイルの物理的な配置が断片化することを防止することができ、かかるインデックスファルの読み出しを高速に行うことが可能となる。
【図面の簡単な説明】
【図１】本発明を適用した記録装置のブロック構成を示す図である。
【図２】Ｑｕｉｃｋｔｉｍｅファイルにより作成されるインデックスファイルの一の例を示す図である。
【図３】Ｑｕｉｃｋｔｉｍｅファイルにより作成されるインデックスファイルの他の例を示す図である。
【図４】プロパティトラックの例を示す図である。
【図５】プロパティデータの例を示す図である。
【図６】各エントリ番号におけるプロパティ情報の例を示す図である。
【図７】本発明を適用した記録装置におけるインデックスファイルの初期化方法につき説明するためのフローチャートである。
【図８】各種エントリのエントリ領域につき、無効フラグを設定し、或いは無効データを書き込む場合につき説明するための図である。
【図９】初期化された記録媒体に対してコンテンツファイルを記録する手順を示すフローチャートである。
【図１０】インデックスファイルが記録されている物理的な領域を開放する場合について説明するための図である。
【図１１】記録媒体に対して新たに記録されたコンテンツファイルをインデックスファイルに登録する手順を示すフローチャートである。
【図１２】物理的に連続する空き領域を探索し、これをインデックスファイルにおける無効領域として追加する場合につき説明するための図である。
【図１３】インデックスファイルにおける無効領域を追加する手順を示すフローチャートである。
【図１４】新たに記録されるコンテンツファイルを、追加された無効領域のエントリに登録する手順を示すフローチャートである。
【図１５】ＱｕｉｃｋＴｉｍｅファイルを用いて作成された一般的なインデックスファイルを示す図である。
【符号の説明】
１  記録装置、１１  光ピックアップ、１２  スピンドルモータ、１３  サーボ回路、１４  ドライブ制御部、１５  システム制御部、１６  操作入力部、１８  ファイル生成部、１９  ファイル復号部、２０  メモリ、２１  メモリコントローラ、２２  メモリ、２３  エラー訂正部、２４  データ変復調部
【図１】
2004265507.tif 000003
【図２】
2004265507.tif 000004
【図３】
2004265507.tif 000005
【図４】
2004265507.tif 000006
【図５】
2004265507.tif 000007
【図６】
2004265507.tif 000008
【図７】
2004265507.tif 000009
【図８】
2004265507.tif 000010
【図９】
2004265507.tif 000011
【図１０】
2004265507.tif 000012
【図１１】
2004265507.tif 000013
【図１２】
2004265507.tif 000014
【図１３】
2004265507.tif 000015
【図１４】
2004265507.tif 000016
【図１５】
2004265507.tif 000017